(57)【要約】【課題】利用者がＩＣカードを手に持ったままカードリーダに短時間だけ接触又は近接させることを可能にしつつ、ある程度の長い時間、ＩＣカードをカードリーダに確実に接触又は近接させおくことが可能なＩＣカードリーダ用カードホルダを提供することを目的とする。【解決手段】ＩＣカードリーダ用カードホルダ３６は、無線通信によってＩＣカード３７とデータの送受信を行うカードリーダの読み取り面を含むパネル面から突出して、上面がほぼ水平であり長手方向がパネル面に沿って設けられた台座部３６Ａと、台座部３６Ａの長手方向の両端部側それぞれに台座部３６Ａの上方に延設された少なくとも二つの保持部３６Ｂとを備え、保持部３６Ｂとパネル面の間には、ＩＣカード３７が挿入可能な隙間が形成され、二つの保持部３６Ｂの間の間隔は、ＩＣカード３７の短辺Ａよりも長く、ＩＣカード３７の長辺Ｂよりも短い。【選択図】図５Ａ
0003209882.tif 000002
【実用新案登録請求の範囲】
【請求項１】
無線通信によってＩＣカードとデータの送受信を行うカードリーダの読み取り面を含むパネル面から突出して、上面がほぼ水平であり長手方向が前記パネル面に沿って設けられた台座部と、
前記台座部の前記長手方向の両端部側それぞれに前記台座部の上方に延設された少なくとも二つの保持部と、
を備え、
前記保持部と前記パネル面の間には、前記ＩＣカードが挿入可能な隙間が形成され、
前記二つの保持部の間の間隔は、前記ＩＣカードの短辺よりも長く、前記ＩＣカードの長辺よりも短いＩＣカードリーダ用カードホルダ。
【請求項２】
無線通信によってＩＣカードとデータの送受信を行うカードリーダの読み取り面を含むパネル面から突出して、上面がほぼ水平であり長手方向が前記パネル面に沿って設けられた台座部と、
前記台座部よりも上方にて前記パネル面に設けられ、長手方向が前記パネル面に対して平行に設けられた保持部と、
を備え、
前記保持部と前記パネル面の間には、前記ＩＣカードが挿入可能な隙間が形成され、
前記台座部と前記保持部の間の間隔は、前記ＩＣカードの短辺よりも長く、前記ＩＣカードの長辺よりも短いＩＣカードリーダ用カードホルダ。
【請求項３】
前記台座部の上面には前記台座部から上方に突出して突部が設けられ、
前記突部と前記パネル面の間には、前記ＩＣカードが挿入可能な隙間が形成されている請求項２に記載のＩＣカードリーダ用カードホルダ。
【請求項４】
前記台座部又は前記保持部の前記パネル面側とは反対側の面と、前記パネル面との間の距離は、前記カードリーダが前記ＩＣカードとデータの送受信を行うことができない距離である請求項１から３のいずれか１項に記載のＩＣカードリーダ用カードホルダ。
【考案の詳細な説明】
【技術分野】
【０００１】
本考案は、ＩＣカードリーダ用カードホルダに関するものである。
【背景技術】
【０００２】
機械式駐車装置には、予め登録されている登録者が所持するＩＣカードの識別情報を読み取り、識別情報に基づいて利用者認証が成功した場合に、入庫予約、出庫予約、又は各種操作等が可能とされるものがある。ここで、各種操作とは、例えば、乗入室の扉（以下「入出庫扉」という。）の開閉等である。
【０００３】
特許文献１には、機械式駐車装置において、入出庫扉を開く場合のみならず入出庫扉を閉じる場合に、入出庫扉の近辺に設けられた操作盤のカードリーダに、利用者がＩＣカードをタッチすることで利用者認証が行われる制御方法が開示されている。
【先行技術文献】
【特許文献】
【０００４】
【特許文献１】特開２０１２−２６１２１号公報
【考案の概要】
【考案が解決しようとする課題】
【０００５】
特許文献１に開示されているような従来の機械式駐車装置では、利用者認証が行われる際、利用者がＩＣカードをカードリーダに短時間だけ接触又は近接させることが想定されていた。したがって、認証に成功した利用者は、入出庫扉が完全に閉まるまでの間に、ＩＣカードを持って操作盤や入出庫扉から離れることも可能である。その結果、第三者が乗入室に入らないことを確認せずに立ち去ることも生じ得るため、利用者の目視による安全確認が疎かになる可能性がある。
【０００６】
これに対し、一定期間、例えば入出庫扉が完全に閉まるまでの間、ＩＣカードとカードリーダの間の通信を継続させて、利用者を操作盤付近にとどまらせることが考えられる。
【０００７】
そこで、本考案は、利用者がＩＣカードを手に持ったままカードリーダに短時間だけ接触又は近接させることを可能にしつつ、入出庫扉が完全に閉まるまでの期間のような、ある程度の長い時間、ＩＣカードをカードリーダに確実に接触又は近接させておくことが可能なＩＣカードリーダ用カードホルダを提供することを目的とする。
【０００８】
なお、上述した課題は、機械式駐車装置に限られず、ＩＣカードを手に持ったままカードリーダに短時間だけ接触又は近接させるだけでなく、一定期間ＩＣカードをカードリーダに確実に接触又は近接させておくことが要求される他の装置にも生じ得る。
【課題を解決するための手段】
【０００９】
本考案の第１態様に係るＩＣカードリーダ用カードホルダは、無線通信によってＩＣカードとデータの送受信を行うカードリーダの読み取り面を含むパネル面から突出して、上面がほぼ水平であり長手方向が前記パネル面に沿って設けられた台座部と、前記台座部の前記長手方向の両端部側それぞれに前記台座部の上方に延設された少なくとも二つの保持部とを備え、前記保持部と前記パネル面の間には、前記ＩＣカードが挿入可能な隙間が形成され、前記二つの保持部の間の間隔は、前記ＩＣカードの短辺よりも長く、前記ＩＣカードの長辺よりも短い。
【００１０】
この構成によれば、カードリーダは、無線通信によってＩＣカードとデータの送受信を行う。台座部は、カードリーダのパネル面から突出して設けられ、台座部の上面がほぼ水平であり、台座部の長手方向が水平方向に沿って設けられていることから、台座部の上面にＩＣカードを載置できる。また、保持部とカードリーダのパネル面の間に形成された隙間には、ＩＣカードを挿入できる。さらに、保持部がカードリーダのパネル面から離れていることから、台座部の上面に載置されたＩＣカードを側方にスライドすることで、簡単にカードホルダからＩＣカードを外すことができる。
【００１１】
二つの保持部の間の間隔は、ＩＣカードの短辺よりも長いことから、二つの保持部の間に縦向きにされたＩＣカードを挿入してカードリーダに接触又は接近させることができる。また、二つの保持部の間の間隔は、ＩＣカードの長辺よりも短いことから、台座部の上面に、横向きにされたＩＣカードを載置したとき、ＩＣカードが保持部側に倒れたとしても、台座部上に保持された状態を維持できる。
【００１２】
本考案の第２態様に係るＩＣカードリーダ用カードホルダは、無線通信によってＩＣカードとデータの送受信を行うカードリーダの読み取り面を含むパネル面から突出して、上面がほぼ水平であり長手方向が前記パネル面に沿って設けられた台座部と、前記台座部よりも上方にて前記パネル面に設けられ、長手方向が前記パネル面に対して平行に設けられた保持部とを備え、前記保持部と前記パネル面の間には、前記ＩＣカードが挿入可能な隙間が形成され、前記台座部と前記保持部の間の間隔は、前記ＩＣカードの短辺よりも長く、前記ＩＣカードの長辺よりも短い。
【００１３】
この構成によれば、カードリーダは、無線通信によってＩＣカードとデータの送受信を行う。台座部は、カードリーダのパネル面から突出して設けられ、台座部の上面がほぼ水平であり、台座部の長手方向が水平方向に沿って設けられていることから、台座部の上面にＩＣカードを載置できる。また、保持部とカードリーダのパネル面の間に形成された隙間には、ＩＣカードを挿入できる。さらに、保持部がカードリーダのパネル面から離れていることから、台座部の上面に載置されたＩＣカードを側方にスライドすることで、簡単にカードホルダからＩＣカードを外すことができる。
【００１４】
台座部と保持部の間の間隔は、ＩＣカードの短辺よりも長いことから、台座部と保持部の間に横向きにされたＩＣカードを挿入してカードリーダに接触又は接近させることができる。また、台座部と保持部の間の間隔は、ＩＣカードの長辺よりも短いことから、台座部の上面に、縦向きにされたＩＣカードを載置したとき、ＩＣカードが保持部側に倒れたとしても、台座部上に保持された状態を維持できる。
【００１５】
上記第２態様において、前記台座部の上面には前記台座部から上方に突出して突部が設けられ、前記突部と前記パネル面の間には、前記ＩＣカードが挿入可能な隙間が形成されてもよい。
【００１６】
この構成によれば、突部とカードリーダのパネル面の間に形成された隙間には、ＩＣカードを挿入でき、突部によって、台座部に載置されたＩＣカードが前方へ滑り落ちることを防止できる。
【００１７】
上記第１又は第２態様において、前記台座部又は前記保持部の前記パネル面側とは反対側の面と、前記パネル面との間の距離は、前記カードリーダが前記ＩＣカードとデータの送受信を行うことができない距離でもよい。
【００１８】
この構成によれば、ＩＣカードを台座部又は保持部より手前でかざしたり、台座部又は保持部のパネル面側とは反対側の面、すなわち、正面側の面に接触させただけでは、カードリーダがＩＣカードのデータを読み取れない。すなわち、ＩＣカードは、台座部又は保持部の正面側の面よりカードリーダ側にあるとき、データの送受信が行われる。
【考案の効果】
【００１９】
本考案によれば、利用者がＩＣカードを手に持ったままカードリーダに短時間だけ接触又は近接させることを可能にしつつ、ある程度の長い時間、ＩＣカードをカードリーダに確実に接触又は近接させておくことができる。
【図面の簡単な説明】
【００２０】
【図１】本考案の実施形態に係る機械式駐車装置の概略外観図である。
【図２】本考案の実施形態に係る機械式駐車装置の概略内観図である。
【図３】本考案の実施形態に係る操作盤の概略外観図である。
【図４Ａ】本考案の実施形態に係るＩＣカードホルダを示す斜視図である。
【図４Ｂ】本考案の実施形態に係るＩＣカードホルダを示す側面図である。
【図５Ａ】本考案の実施形態に係るＩＣカードホルダにＩＣカードを挿入した場合の概略外観図である。
【図５Ｂ】本考案の実施形態に係るＩＣカードホルダにＩＣカードを挿入した場合の概略外観図である。
【図６】本考案の実施形態に係る機械式駐車装置の制御機能に関する機能ブロック図である。
【図７】従来におけるＩＣカードを用いた入庫処理の流れを示すフローチャートである。
【図８】従来におけるＩＣカードを用いた入庫処理の流れを示すフローチャートである。
【図９】本考案の実施形態に係るＩＣカードを用いた入庫処理の流れを示すフローチャートである。
【図１０】本考案の実施形態に係るＩＣカード保持処理の流れを示すフローチャートである。
【図１１】従来におけるＩＣカードを用いた出庫処理の流れを示すフローチャートである。
【図１２】従来におけるＩＣカードを用いた出庫処理の流れを示すフローチャートである。
【図１３】本考案の実施形態に係るＩＣカードを用いた出庫処理の流れを示すフローチャートである。
【図１４Ａ】本考案の他の実施形態に係るＩＣカードホルダを示す斜視観図である。
【図１４Ｂ】本考案の他の実施形態に係るＩＣカードホルダを示す側面図である。
【図１５Ａ】本考案の他の実施形態に係るＩＣカードホルダにＩＣカードを挿入した場合の概略外観図である。
【図１５Ｂ】本考案の他の実施形態に係るＩＣカードホルダにＩＣカードを挿入した場合の概略外観図である。
【図１６】本考案の他の実施形態に係る乗入室の概略外観図である。
【考案を実施するための形態】
【００２１】
以下に、本考案に係る機械式駐車装置の操作盤、機械式駐車装置、機械式駐車装置の制御方法、及び機械式駐車装置の改造方法の一実施形態について、図面を参照して説明する。
【００２２】
図１，２は、本実施形態に係る機械式駐車装置１０（立体駐車場）の概略外観図である。
【００２３】
機械式駐車装置１０には、車両１２が入庫又は出庫する乗入室２０が設けられ、車両１２は、乗入室２０を介して、格納庫１８に搬入されたり、格納庫１８から搬出されたりする。乗入室２０では、パレット１７に車両１２が載置され、車両１２の運転者が車両１２に対して乗降可能である。
【００２４】
また、機械式駐車装置１０内部では、車両１２を載置可能なパレット１７が昇降される。パレット１７は、乗入室２０と格納庫１８が設けられた高さとの間で昇降される。なお、本実施形態に係る機械式駐車装置１０の構成は、一例であり、図１には、格納庫１８が乗入室２０よりも上層である場合について示しているが、格納庫１８が乗入室２０よりも下層である等、他の構成であってもよい。
【００２５】
乗入室２０の外側には、機械式駐車装置１０の操作盤２２が設けられる。
操作盤２２は、例えば、スイッチ、タッチパネル、ＩＣカード、リモコン装置等を介して、機械式駐車装置１０の利用者による各種操作（入庫又は出庫の指示等）の入力を受け付ける。また、操作盤２２は、文字や画像等を表示する液晶ディスプレイ装置、表示ランプ等の表示装置、音声合成装置による音声、警報音を出すスピーカーによって、種々の情報を利用者に提供する。
【００２６】
さらに、図２に示されるように、機械式駐車装置１０は、格納棚１８Ａを備える。格納棚１８Ａは、複数の階から構成される格納庫１８の各階に設置され、パレット１７を昇降させるリフト１４、及びリフト１４が昇降（移動）する昇降路１６に沿って配設されている。
【００２７】
機械式駐車装置１０は、乗入室２０の扉である入出庫扉１５が開けられているとき、乗入室２０に車両１２が入庫可能となり、入庫された車両１２は、格納庫１８の格納棚１８Ａに格納される。また、機械式駐車装置１０は、出庫させる車両１２が格納棚１８Ａから取り出され、入出庫扉１５が開けられているとき、乗入室２０から車両１２が出庫可能となる。
【００２８】
なお、以下の説明において、車両１２が載置されていないパレット１７を空パレットといい、車両１２が載置されているパレット１７を実パレットという。
【００２９】
図３は、操作盤２２の斜視図である。操作盤２２は、風雨からの保護と悪戯防止のために金属製の筐体３０に収容されており、この筐体３０には施錠可能な蓋３１が設けられている。利用者が操作盤２２を操作する際には、施錠を解錠して蓋３１を開き、操作盤２２にアクセスする。
【００３０】
操作盤２２の筐体２２Ａには、ＩＣカードリーダ３２、タッチパネル式の操作画面３３、利用者に操作方法を音声で案内するためのスピーカー３４、機械式駐車装置１０の動作を非常停止させる非常停止ボタン３５等が配置される。
【００３１】
ＩＣカードリーダ３２は、ＩＣカード３７が接触又は近接しているとき、無線通信によって、利用者の識別番号（以下「ＩＤ番号」という。）が記憶されているＩＣカード３７から該ＩＤ番号を読み取る。なお、ＩＣカード３７は、予め登録されている利用者（登録者）が所持するものである。読み取られたＩＤ番号は、予め登録されているＩＤ番号と照合するユーザ認証に用いられる。
【００３２】
操作画面３３は、ＩＣカードリーダ３２によって読み取られたＩＤ番号に基づく認証が成功した場合に、利用者による機械式駐車装置１０の機械動作の指示を入力する操作手段である。より具体的には、操作画面３３は、利用者が認証操作及び入出庫扉１５の開閉、リフト１４の起動といった機械動作の指示を入力が可能とされている。
【００３３】
操作画面３３には、操作ガイド等の表示部３３ａと、テンキー等の入力部３３ｂとが表示される。これらの表示は、必ずしも操作画面３３の特定の区画に表示されるものではなく、操作画面３３全体が表示部３３ａになったり、入力部３３ｂになったりすることもある。
【００３４】
ＩＣカードリーダ３２の前面には、ＩＣカードホルダ３６が設けられている。
【００３５】
ＩＣカードホルダ３６は、機械式駐車装置１０の機械動作の実行中に、ＩＣカード３７を保持してＩＣカードリーダ３２によるＩＤ番号の読み取りを可能とする。
【００３６】
図４Ａ，図４Ｂ，図５Ａ及び図５Ｂを参照して、ＩＣカードホルダ３６について説明する。
図４Ａ，図４ＢはＩＣカードホルダ３６の概略外観図であり、図４Ａ、図４Ｂは、それぞれＩＣカードホルダ３６を示す斜視図、側面図である。図５Ａ，図５Ｂは、ＩＣカードホルダ３６にＩＣカード３７を挿入した場合の概略外観図であり、図５Ａは、ＩＣカードリーダ３２にＩＤ番号を読み取らせるため、ＩＣカード３７が横置きにされている場合、図５Ｂは、ＩＣカード３７が縦向きに接触されている場合を示している。なお、本明細書では、ＩＣカード３７とＩＣカードリーダ３２の通信における接触とは、ＩＣカード３７とＩＣカードリーダ３２が密着して行われる場合と、接触しないで近接して行われる場合を含む。
【００３７】
ＩＣカードホルダ３６は、台座部３６Ａと、２本の保持部３６Ｂを備える。ＩＣカードホルダ３６において、ＩＣカード３７は、図５Ａに示すように、板面が水平面に対して略垂直方向となるように保持される。なお、ＩＣカード３７は、例えば短辺Ａと長辺Ｂで形成される長方形である。
【００３８】
ＩＣカードホルダ３６は、図４Ｂに示すように、ＩＣカードリーダ３２が設置された位置に対応して設けられる。台座部３６Ａは、例えば一方向に長い直方体形状であり、長手方向が水平方向となるように操作盤２２に設置される。台座部３６Ａの上面には、長辺Ｂが横向きにされたＩＣカード３７が載置可能である。台座部３６Ａは、操作盤２２に対して、例えばネジ又は接着剤等によって接合される。
【００３９】
保持部３６Ｂは、例えば一方向に長い直方体形状であり、長手方向が鉛直方向となるように台座部３６Ａと接続される。保持部３６Ｂの長手方向の長さは、例えば、ＩＣカード３７の短辺Ａの長さの２／３程度である。２本の保持部３６Ｂは、例えば台座部３６Ａの両端、すなわち、台座部３６Ａの左側端部と右側端部にそれぞれ設けられる。保持部３６Ｂは、下端部が台座部３６Ａの上面と接続されている。なお、保持部３６Ｂは、台座部３６Ａの端部よりも台座部３６Ａの中央側に接続されてもよい。
【００４０】
保持部３６Ｂは、図４Ｂに示すように、ＩＣカードリーダ３２との間に間隙ｘを有して設けられる。間隙ｘは、ＩＣカード３７を挿入できる幅であり、例えばＩＣカード３７の厚さよりも２ｍｍ〜３ｍｍ程度長い長さである。これより、ＩＣカードホルダ３６の上方又は側方から、間隙ｘにＩＣカード３７を挿入できる。また、間隙ｘが設けられていることから、台座部３６Ａの上面に載置されたＩＣカード３７を側方にスライドすることで、簡単にＩＣカードホルダ３６からＩＣカード３７を外すことができる。
【００４１】
２本の保持部３６Ｂの間隔ｙは、ＩＣカードの短辺Ａより長い。間隔ｙは、例えばＩＣカード３７の短辺Ａよりも１０ｍｍ程度長い長さである。これにより、２本の保持部３６Ｂの間に、縦向きにされたＩＣカード３７を挿入でき、ＩＣカード３７を縦向きにした状態でＩＣカードリーダ３２に接触できる。したがって、利用者が後述するワンタッチ認証を行うとき、台座部３６Ａ上にＩＣカード３７をわざわざ載置することなく、ＩＣカード３７を持ったままＩＣカードリーダ３２に接触させることができる。
【００４２】
また、保持部３６Ｂの間隔ｙは、ＩＣカード３７の長辺Ｂより短い。これにより、台座部３６Ａの上面に、横向きにされたＩＣカード３７を載置したとき、ＩＣカード３７が保持部３６Ｂ側に倒れたとしても、台座部３６Ａ上に保持された状態を維持できる。したがって、利用者が後述する継続認証を行うとき、台座部３６Ａ上にＩＣカード３７を横置きにすることで、ＩＣカードリーダ３２によるユーザ認証を確実に継続させることができる。
【００４３】
台座部３６Ａと保持部３６Ｂの正面側の面は、図４Ｂに示すように、ＩＣカードリーダ３２の読み取り面から距離ｄだけ離れた位置にある。距離ｄは、ＩＣカードリーダ３２がＩＣカード３７からデータを読み取れない距離である。これにより、例えば図４Ｂに示すｚの位置にあるＩＣカード３７のように、ＩＣカード３７をＩＣカードホルダ３６より手前でかざしたり、ＩＣカードホルダ３６の正面側の面に接触させただけでは、ＩＣカードリーダ３２がＩＣカード３７のデータを読み取れない。すなわち、ＩＣカード３７は、ＩＣカードホルダ３６の正面側の面よりもＩＣカードリーダ３２側にあるとき、データの読み取りが行われる。
【００４４】
したがって、台座部３６Ａと保持部３６Ｂの正面側の面、すなわち、ＩＣカードリーダ３２側とは反対側の面が、ＩＣカードリーダ３２の読み取り面から距離ｄだけ離れた位置にあることで、図５Ｂに示すように、２本の保持部３６Ｂが、ＩＣカード３７を２本の保持部３６Ｂの間でＩＣカードリーダ３２へ確実に接近させるように利用者を促すことができる。ＩＣカード３７を縦向きにした状態でＩＣカードリーダ３２に接触させる場合、２本の保持部３６Ｂは、ＩＣカード３７の挿入をガイドする役割を果たす。
【００４５】
以下で更に詳しく説明するが、継続認証は、入出庫扉１５を閉じる機械動作が行われる場合のユーザ認証に適用される。ＩＣカードホルダ３６でＩＣカード３７が横置きにされた状態では、図５Ａに示されるように、ＩＣカード３７が保持部３６Ｂによって保持されていることから、ＩＣカード３７が落下しにくくなる。したがって、ＩＣカードホルダ３６に対して、利用者が、２本の保持部３６Ｂの間隙ｘの間にＩＣカード３７を横置きにして挿入し、ＩＣカードホルダ３６にＩＣカード３７を保持させた状態とすることで、入出庫扉１５を閉じる間、ＩＣカード３７とＩＣカードリーダ３２との間の認証を確実に継続できる。
【００４６】
一方、ワンタッチ認証は、入出庫扉１５を閉とする以外の機械動作が行われる場合のユーザ認証に適用される。図５Ｂに示されるように、ＩＣカードホルダ３６でＩＣカード３７を縦向きに接触させる場合、利用者はＩＣカード３７を持ったままでよい。したがって、入出庫扉１５を閉とする以外の機械動作を行う場合は、わざわざＩＣカードホルダ３６にＩＣカード３７を載置することなく、認証処理を迅速に完了させることができる。
【００４７】
ＩＣカードリーダ３２によって読み取られたＩＤ情報は、ユーザ認証に用いられる。
【００４８】
以上、本実施形態によれば、利用者がＩＣカード３７を手に持ったままＩＣカードリーダ３２に短時間だけ接触又は近接させることを可能にしつつ、入出庫扉１５が完全に閉まるまでの期間のような、ある程度の長い時間、ＩＣカード３７をＩＣカードリーダ３２に確実に接触又は近接させておくことができる。
【００４９】
図６は、実施形態に係る機械式駐車装置１０の制御機能に関する機能ブロック図である。
【００５０】
本実施形態に係る機械式駐車装置１０は、操作盤制御部４０及び主制御部５０を備える。操作盤制御部４０は、操作盤２２に備えられ、操作盤２２が備えるＩＣカードリーダ３２や操作画面３３に対する制御を行う。主制御部５０は、機械式駐車装置１０全体の制御を行う。
【００５１】
操作盤制御部４０及び主制御部５０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００５２】
操作盤制御部４０は、読取制御部４２、操作画面制御部４４、信号送受信部４６、及び記憶部４８を備える。
【００５３】
読取制御部４２は、ＩＣカード３７に記憶されているＩＤ番号を読み取るようにＩＣカードリーダ３２を制御する。ＩＣカードリーダ３２は、読取制御部４２による制御に応じて、ＩＣカード３７から１回のみ、又は、所定時間間隔（例えば１秒間隔）で連続してＩＤ情報を読み取る。
【００５４】
操作画面制御部４４は、利用者が操作画面３３を介して入力した各種操作の指示を示す情報（以下「操作指示情報」という。）が入力される。また、操作画面制御部４４は、機械式駐車装置１０の動作状態に応じた画面やユーザ認証の結果等を操作画面３３に表示させる。
【００５５】
信号送受信部４６は、ＩＣカードリーダ３２が読み取ったＩＤ情報や、操作画面制御部４４に入力された操作指示情報を主制御部５０へ送信する。また、信号送受信部４６は、主制御部５０から、機械式駐車装置１０の動作状態を示す信号（以下「動作状態信号」という。）や、ユーザ認証の結果を示す信号（以下「認証結果信号」という。）を受信する。
【００５６】
記憶部４８は、操作盤制御部４０で実行される各種プログラムやデータを記憶する。
【００５７】
主制御部５０は、信号送受信部５２、ユーザ認証部５４、機械制御部５６、及び記憶部５８を備える。
【００５８】
信号送受信部５２は、操作盤制御部４０からのＩＤ情報や操作指示情報等を受信し、動作状態信号や認証結果信号を操作盤制御部４０へ送信する。
【００５９】
ユーザ認証部５４は、信号送受信部５２が受信したＩＤ情報と予め登録されている登録情報とを照合して、ユーザ認証を行う。ユーザ認証部５４は、ユーザ認証の結果を認証結果信号として信号送受信部５２へ出力する。
【００６０】
機械制御部５６は、信号送受信部５２が受信した操作指示情報に基づいて、機械式駐車装置１０を動作させる。機械制御部５６は、機械式駐車装置１０の動作状態を動作状態信号として信号送受信部５２へ出力する。
【００６１】
記憶部５８は、主制御部５０で実行される各種プログラムやデータを記憶する。
【００６２】
次に、本実施形態に係るユーザ認証について説明する。
本実施形態に係る機械式駐車装置１０では、ユーザ認証としてワンタッチ認証と継続認証の２種類が設定されている。ワンタッチ認証は、図５（Ｂ）に示すように、利用者がＩＣカード３７を縦向きにしてＩＣカードリーダ３２に接触させ、ＩＣカード３７から１回のみＩＤ情報を読み取り、ユーザ認証を行う手法である。一方、継続認証は、図５（Ａ）に示すように、利用者がＩＣカード３７を横置きにしてＩＣカードホルダ３６の間隙ｘに挿入し、ＩＣカード３７から所定時間間隔で連続してＩＤ情報を読み取り、ユーザ認証を行う手法である。
【００６３】
本実施形態に係る機械式駐車装置１０では、入庫処理又は出庫処理を実行する場合に、ワンタッチ認証と継続認証を適宜実行する。
【００６４】
図７，８を参照して、従来におけるＩＣカード３７を用いた入庫処理の流れを説明する。
【００６５】
まず、車両１２が乗入室２０の前へ移動する（Ｓ１００）。その後、利用者は、車両１２から降りて操作盤２２の前へ移動し（Ｓ２００）、鍵を用いて操作盤２２の蓋３１を開ける（Ｓ２０２）。これにより、操作盤２２の操作画面３３は、ユーザ認証画面を表示する（Ｓ４００）。
【００６６】
利用者は、操作画面３３に表示されたユーザ認証画面を確認すると、ワンタッチ認証によって、ＩＣカード３７をＩＣカードリーダ３２に接触させる（Ｓ２０４）。ユーザ認証が成功すると、操作画面３３は、入庫のために機械式駐車装置１０を機械動作させるための入庫起動確認画面を表示する（Ｓ４０２）。
【００６７】
利用者は、操作画面３３に表示された入庫起動確認画面を確認すると、入庫起動確認画面と共に表示されている起動釦を押す（Ｓ２０６）。これにより、機械式駐車装置１０は、機械動作として格納庫１８から空パレットを呼び出す（Ｓ５００）。
【００６８】
なお、Ｓ２０４からＳ２０６に至るためのユーザ認証を第一の認証とし、この第一の認証は、ワンタッチ認証である。
【００６９】
空パレットの呼び出しが行われると、操作画面３３は、入庫待ちの状態を示す入庫待確認画面を表示し（Ｓ４０４）、これを確認した利用者は車両１２に乗り込み（Ｓ２０８）、空パレットの到着を待つ（Ｓ１０４）。空パレットが乗入室２０に到着すると（Ｓ５０２）、操作画面３３は入出庫扉１５が開くことを示す扉開画面を表示し（Ｓ４０６）、機械式駐車装置１０は機械動作として入出庫扉１５を開く（Ｓ５０４）。入出庫扉１５が完全に開かれると、操作画面３３は、車両１２の入庫を利用者に促す入庫案内画面を表示する（Ｓ４０８）。また、機械式駐車装置１０は、乗入室２０の前に設けられている三色灯や入庫管制灯を点灯させる等して、利用者に入庫を促す。
【００７０】
車両１２の入庫（乗入室２０への移動）が行われ（Ｓ１０６）、利用者は、乗入室２０内の空パレットに車両１２を載置させると降車し（Ｓ３００）、乗入室２０から退出する（Ｓ２１０）。操作画面３３は、乗入室２０内が無人であることの確認を促す無人確認画面を表示する（Ｓ４１０）。利用者は、無人確認を実行した後に、操作画面３３に対して無人確認の終了を入力する（Ｓ２１２）。操作画面３３は、無人確認の終了が入力されると、ユーザ認証画面を表示する（Ｓ４１２）。
【００７１】
利用者は、操作画面３３に表示されたユーザ認証画面を確認すると、ワンタッチ認証によって、ＩＣカード３７をＩＣカードリーダ３２に接触させる（Ｓ２１４）。ユーザ認証が成功すると、操作画面３３は、入出庫扉１５を閉める前の最終的な安全確認を利用者に促す安全確認画面を表示する（Ｓ４１４）。利用者は、操作画面３３に表示された安全確認画面を確認すると、乗入室２０の安全を確認し、安全確認画面と共に表示されている安全確認釦を押す（Ｓ２１６）。安全確認釦が押されると、操作画面３３は、入出庫扉１５を閉めるための扉閉画面を表示する（Ｓ４１６）。利用者が扉閉画面と共に表示されている扉閉釦を押すと（Ｓ２１８）、機械式駐車装置１０は、機械動作として入出庫扉１５を閉める閉動作を行う（Ｓ５０６）。利用者は、入出庫扉１５が完全に閉められたことを確認すると、操作盤２２の蓋３１を閉じて鍵を閉める（Ｓ２２０）。機械式駐車装置１０において入出庫扉１５が完全に閉められたことが確認されたとき、利用者は、ＩＣカード３７を持って操作盤２２から離れることができる（Ｓ２２２）。機械式駐車装置１０は、入出庫扉１５の閉動作が完了すると、車両１２を載置した実パレットをリフト１４によって搬送して格納庫１８へ格納する（Ｓ５０８）。
【００７２】
なお、Ｓ２１４からＳ２１８に至るためのユーザ認証を第二の認証とし、この第二の認証は、ワンタッチ認証である。
【００７３】
次に、図９を参照して、本実施形態に係るＩＣカード３７を用いた入庫処理の流れを説明する。なお、図９に示す処理は、上述した図７に示す処理の後に実行されるものであり、図９における図８と同一のステップについては図８と同一の符号を付して、その説明を一部又は全部省略する。
【００７４】
利用者は、入庫のために空パレットに車両１２を載置させて降車し、乗入室２０から退出すると（Ｓ２１０）。操作画面３３は、無人確認画面を表示する（Ｓ４１０）。利用者は、無人確認を実行した後に、操作画面３３に対して無人確認の終了を入力する（Ｓ２１２）。操作画面３３は、無人確認の終了が入力されると、ユーザ認証画面を表示する（Ｓ４１２）。
【００７５】
利用者は、操作画面３３に表示されたユーザ認証画面を確認すると、継続認証を行わせるため、ＩＣカード３７を横置きにしてＩＣカードホルダ３６に保持させる（Ｓ２１５）。
【００７６】
そして、ＩＣカードホルダ３６に保持されたＩＣカード３７はＩＣカードリーダ３２によってＩＤ情報が読み取られ、ユーザ認証が行われる。ユーザ認証が成功すると、操作画面３３は、安全確認画面を表示する（Ｓ４１４）。利用者は、操作画面３３に表示された安全確認画面を確認すると、乗入室２０の安全確認を行い、安全確認画面と共に表示されている安全確認釦を押す（Ｓ２１６）。安全確認釦が押されると、操作画面３３は、扉閉画面を表示する（Ｓ４１６）。利用者が扉閉画面と共に表示されている扉閉釦を押すと（Ｓ２１８）、機械式駐車装置１０は、機械動作として入出庫扉１５を閉める（Ｓ５０６）。利用者は、入出庫扉１５が完全に閉められたことを確認し、機械式駐車装置１０において入出庫扉１５が完全に閉められたことが確認されたとき、ＩＣカード３７をＩＣカードホルダ３６から外すことが可能となる（Ｓ２１９）。その後、利用者は、操作盤２２を閉め（Ｓ２２０）、操作盤２２から離れる（Ｓ２２２）。機械式駐車装置１０は、入出庫扉１５の閉動作が完了すると、車両１２を載置した実パレットをリフト１４によって搬送して格納庫１８へ格納する（Ｓ５０８）。
【００７７】
なお、図９におけるＳ２１５からＳ２１８に至るための第二の認証は、継続認証である。この継続認証は、機械動作の実行中に、ＩＣカードリーダ３２によってＩＣカード３７からＩＣ情報を所定時間間隔で読み取る認証処理である。すなわち、ＩＣカードリーダ３２によってＩＣカード３７からＩＣ情報が所定時間間隔で読み取れている場合に、ＩＣカードホルダ３６にＩＣカード３７が保持されていると判別される。そして、ＩＣカードホルダ３６によってＩＣカード３７が保持されている場合に、入出庫扉１５を閉じる機械動作が可能とされる。
これにより、利用者は、機械動作が行われている間、ＩＣカード３７をＩＣカードホルダ３６に保持させた状態を維持しなければならないため、操作盤２２から離れにくくなり、利用者は機械式駐車装置１０の動作状態を自ずと確認することとなる。
【００７８】
また、本実施形態に係る機械式駐車装置１０は、入出庫扉１５の閉動作を開始した後、ＩＣカードホルダ３６によってＩＣカード３７が保持されなくなった場合、入出庫扉１５の閉動作を停止する。
【００７９】
ＩＣカードホルダ３６によってＩＣカード３７が保持されなくなった場合とは、ＩＣカードリーダ３２によってＩＣ情報が読み取れなくなった場合である。このような場合は、何らかの事情によって利用者がＩＣカード３７をＩＣカードホルダ３６から外して操作盤２２の前から離れた場合や、入出庫扉１５の閉動作を緊急に停止する事情が発生したため、故意に利用者がＩＣカード３７をＩＣカードホルダ３６から外したことが考えられる。
これにより、本実施形態に係る機械式駐車装置１０は、入出庫扉１５を閉じる場合において、より安全性を高めることができる。
【００８０】
また、本実施形態に係る機械式駐車装置１０は、入出庫扉１５の閉動作が完了し、ＩＣカードホルダ３６からＩＣカード３７が外された後に、乗入室２０から格納庫１８へのパレット１７の搬送が開始される。これにより、入出庫扉１５の閉動作が完了し、利用者が操作盤２２から離れた後にパレット１７の搬送が開始されるので、機械式駐車装置１０は、パレット１７の搬送時における安全性をより高めることができる。
【００８１】
図１０は、入出庫扉１５を閉じて乗入室２０から格納庫１８へパレット１７を搬送する場合に、ＩＣカードホルダ３６によるＩＣカード３７の保持状態を判定するＩＣカード保持処理の流れを示すフローチャートである。
【００８２】
まず、ステップ１０００では、ＩＣカードリーダ３２がＩＣカード３７からＩＣ情報を所定時間間隔で読み取ることによって、ＩＣカードホルダ３６にＩＣカード３７が保持されているか否かを判定する。肯定判定の場合にのみステップ１００２へ移行する。なお、このステップ１０００は、上述したＳ２１５に相当する。
【００８３】
次のステップ１００２では、操作画面３３に安全確認画面を表示する。このステップ１００２は、上述したＳ４１４に相当する。
【００８４】
次のステップ１００４では、利用者によって安全確認釦が押されたか否かを判定し、肯定判定の場合はステップ１００６へ移行する。このステップ１００４は、上述したＳ２１６に相当する。
【００８５】
次のステップ１００６では、操作画面３３に扉閉画面を表示する。このステップ１００６は、上述したＳ４１６に相当する。
【００８６】
次のステップ１００８では、利用者によって扉閉釦が押されたか否かを判定し、肯定判定の場合はステップ１０１０へ移行する。このステップ１００８は、上述したＳ２１８に相当する。
【００８７】
次のステップ１０１０では、入出庫扉１５の閉動作を開始する。
【００８８】
次のステップ１０１２では、ＩＣカードリーダ３２がＩＣカード３７からＩＣ情報を所定時間間隔で読み取ることによって、ＩＣカード３７がＩＣカードホルダ３６に保持されているか否かを判定する。肯定判定の場合はステップ１０１４へ移行し、否定判定の場合はステップ１０１６へ移行する。
【００８９】
次のステップ１０１４では、入出庫扉１５の閉動作が完了したか否かを判定し、肯定判定の場合はステップ１０１８へ移行し、否定判定の場合はステップ１０１２へ戻る。
【００９０】
次のステップ１０１６では、入出庫扉１５の閉動作を停止し、ステップ１０００へ戻り、利用者は、再びＩＣカード３７をＩＣカードホルダ３６に保持させて、乗入室２０の安全確認を実行する。
【００９１】
なお、ステップ１０１２からステップ１０１４は、上述したＳ５０６に相当する。
【００９２】
ステップ１０１８では、ＩＣカード３７がＩＣカードホルダ３６から外されたか否かを判定し、肯定判定の場合のみステップ１０２０へ移行する。なお、ＩＣカードリーダ３２によってＩＣカード３７からＩＣ情報が読み取れなくなった場合に、ＩＣカード３７がＩＣカードホルダ３６から外されたと判定される。
このステップ１０１８は、上述したＳ２１９に相当する。
【００９３】
ステップ１０２０では、乗入室２０から格納庫１８へのパレット１７の搬送を行い、ＩＣカード保持処理を終了する。このステップ１０２０は、上述したＳ５０８に相当する。
【００９４】
なお、ＩＣカード３７には、利用者の体（例えば首）とＩＣカード３７とを繋ぐための紐等が設けられてもよい。ＩＣカード３７と利用者が紐で繋がれていると、緊急時に利用者が咄嗟に動いた場合、ＩＣカード３７が利用者によって引っ張られてＩＣカードホルダ３６から外れる。これにより、入出庫扉１５の閉動作が停止する。
また、ＩＣカードホルダ３６には、間隙ｘが設けられているため、間隙ｘに挿入されたＩＣカード３７は左右にスライドさせることで簡易にＩＣカードホルダ３６から外れる。このため、緊急時に利用者が咄嗟にＩＣカード３７をスライドさせてＩＣカードホルダ３６から外すことで、入出庫扉１５の閉動作を停止させることができる。
【００９５】
また、入出庫扉１５の閉動作の停止とは、閉動作を途中で停止させることの他に、入出庫扉１５を再び開くことも含まれる。
【００９６】
次に、図１１，１２を参照して、従来におけるＩＣカード３７を用いた出庫処理の流れを説明する。
【００９７】
まず、利用者は、操作盤２２の前へ移動し（Ｓ２５０）、鍵を用いて操作盤２２の蓋３１を開ける（Ｓ２５２）。これにより、操作盤２２の操作画面３３は、ユーザ認証画面を表示する（Ｓ４５０）。
【００９８】
利用者は、操作画面３３に表示されたユーザ認証画面を確認すると、ワンタッチ認証によって、ＩＣカード３７をＩＣカードリーダ３２に接触させる（Ｓ２５４）。ユーザ認証が成功すると、操作画面３３は、出庫のために機械式駐車装置１０を機械動作させるための出庫起動確認画面を表示する（Ｓ４５２）。
【００９９】
利用者は、操作画面３３に表示された出庫起動確認画面を確認すると、出庫起動確認画面共に表示されている起動釦を押す（Ｓ２５６）。これにより、機械式駐車装置１０は、機械動作として格納庫１８から利用者の車両１２が載置された実パレットを呼び出す（Ｓ５５０）。
【０１００】
なお、Ｓ２５４からＳ２５６に至るためのユーザ認証を第一の認証とし、この第一の認証は、ワンタッチ認証である。
【０１０１】
実パレットの呼び出しが行われると、操作画面３３は、出庫待ちの状態を示す入庫待確認画面を表示し（Ｓ４５４）、これを確認した利用者は実パレットの到着を待つ（Ｓ２５８）。実パレットが乗入室２０に到着すると（Ｓ５５２）、操作画面３３は扉開画面を表示し（Ｓ４５６）、機械式駐車装置１０は入出庫扉１５を開く（Ｓ５５４）。入出庫扉１５が完全に開かれると、操作画面３３は、車両１２の出庫を利用者に促す出庫案内画面を表示する（Ｓ４５８）。また、機械式駐車装置１０は、乗入室２０の前に設けられている三色灯や入庫管制灯を点灯させる等して、利用者に出庫を促す。
【０１０２】
利用者は、出庫案内画面を確認すると乗入室２０（場内）へ移動する（Ｓ３５０）。そして、利用者は、パレット１７に載置されている車両１２へ乗車し（Ｓ３５２）、車両１２を出庫させる（Ｓ１５０）。利用者は、出庫が完了すると車両１２から降りて操作盤２２の前へ移動する（Ｓ２６０）。このとき、操作画面３３は、ユーザ認証画面を表示する（Ｓ４６０）。
【０１０３】
利用者は、操作画面３３に表示されたユーザ認証画面を確認すると、ワンタッチ認証によって、ＩＣカード３７をＩＣカードリーダ３２に接触させる（Ｓ２６２）。ユーザ認証が成功すると、操作画面３３は、安全確認画面を表示する（Ｓ４６２）。利用者は、操作画面３３に表示された安全確認画面を確認すると、乗入室２０の安全を確認し、安全確認画面と共に表示されている安全確認釦を押す（Ｓ２６４）。安全確認釦が押されると、操作画面３３は、扉閉画面を表示する（Ｓ４６４）。利用者が扉閉画面と共に表示されている扉閉釦を押すと（Ｓ２６６）、機械式駐車装置１０は、機械動作として入出庫扉１５を閉める閉動作を行う（Ｓ５５６）。利用者は、入出庫扉１５が完全に閉められたことを確認すると、操作盤２２の蓋３１を閉じて鍵を閉める（Ｓ２６８）。機械式駐車装置１０において入出庫扉１５が完全に閉められたことが確認されたとき、操作盤２２から離れることができる（Ｓ２７０）。機械式駐車装置１０は、入出庫扉１５の閉動作が完了すると、車両１２を載置した実パレットをリフト１４によって搬送して格納庫１８へ格納する（Ｓ５５８）。
【０１０４】
なお、Ｓ２６２からＳ２６６に至るためのユーザ認証を第二の認証とし、この第二の認証は、ワンタッチ認証である。
【０１０５】
次に、図１３を参照して、本実施形態に係るＩＣカード３７を用いた出庫処理の流れを説明する。なお、図１３に示す処理は、上述した図１１に示す処理の後に実行されるものであり、図１３における図１２と同一のステップについては図１２と同一の符号を付して、その説明を一部又は全部省略する。
【０１０６】
利用者は、パレット１７に載置されている車両１２へ乗車し（Ｓ３５２）、車両１２を出庫させる（Ｓ１５０）。利用者は、出庫が完了すると車両１２から降りて操作盤２２の前へ移動する（Ｓ２６０）。このとき、操作画面３３は、ユーザ認証画面を表示する（Ｓ４６０）。
【０１０７】
利用者は、操作画面３３に表示されたユーザ認証画面を確認すると、継続認証を行わせるため、ＩＣカード３７を横置きにしてＩＣカードホルダ３６に保持させる（Ｓ２６３）。
【０１０８】
そして、ＩＣカードホルダ３６に保持されたＩＣカード３７はＩＣカードリーダ３２によってＩＤ情報が読み取られ、ユーザ認証が行われる。ユーザ認証が成功すると、操作画面３３は、安全確認画面を表示する（Ｓ４６２）。利用者は、操作画面３３に表示された安全確認画面を確認すると、乗入室２０の安全を確認し、安全確認画面と共に表示されている安全確認釦を押す（Ｓ２６４）。安全確認釦が押されると、操作画面３３は、扉閉画面を表示する（Ｓ４６４）。利用者が扉閉画面と共に表示されている扉閉釦を押すと（Ｓ２６６）、機械式駐車装置１０は、機械動作として入出庫扉１５を閉める（Ｓ５５６）。利用者は、入出庫扉１５が完全に閉められたことを確認すると、ＩＣカード３７をＩＣカードホルダ３６から外すことが可能となる（Ｓ２６７）。その後、利用者は、操作盤２２を閉め（Ｓ２６８）、操作盤２２から離れる（Ｓ２７０）。機械式駐車装置１０は、入出庫扉１５の閉動作が完了すると、車両１２を載置した実パレットをリフト１４によって搬送して格納庫１８へ格納する（Ｓ５５８）。
【０１０９】
なお、図１３におけるＳ２６３からＳ２６６に至るための第二の認証は、継続認証である。継続認証の処理等は、上述した本実施形態に係る入庫処理と同様である。また、本実施形態に係る出庫処理におけるＩＣカード保持処理も、上述した本実施形態に係る入庫処理におけるＩＣカード保持処理と同様である。
【０１１０】
以上説明したように、本実施形態に係る機械式駐車装置１０の操作盤２２は、利用者のＩＤ番号が記憶されているＩＣカード３７からＩＤ番号を読み取るＩＣカードリーダ３２と、ＩＣカードリーダ３２によって読み取られたＩＤ番号に基づく認証が成功した場合に、利用者による機械式駐車装置１０の機械動作の指示の入力を受け付ける操作画面３３と、機械式駐車装置１０の機械動作の実行中に、ＩＣカード３７を保持してＩＣカードリーダ３２によるＩＤ番号の読み取りを可能とするＩＣカードホルダ３６と、を備える。
【０１１１】
本実施形態に係る操作盤２２は、機械式駐車装置１０の機械動作の実行中に、ＩＣカードホルダ３６がＩＣカード３７を保持してＩＣカードリーダ３２によるＩＣカード３７のＩＤ番号の読み取りを行う。これによって、利用者は、機械式駐車装置１０の機械動作が行われている間、操作盤２２から離れにくくなり、利用者は機械式駐車装置１０の動作状態を確認することとなる。
従って、本実施形態によれば、機械式駐車装置１０が機械動作を行う場合の安全性をより高めることができる。
【０１１２】
また、ＩＣカードホルダ３６が設けられてない既存の機械式駐車装置を改造することよって、ＩＣカードホルダ３６、並びに本実施形態に係る入庫処理及び出庫処理に関するプログラムが既存の機械式駐車装置に備えられてもよい。
すなわち、改造によって、既存の機械式駐車装置のＩＣカードリーダ３２の前面にＩＣカードホルダ３６が設けられ、機械式駐車装置の機械動作の実行中に、ＩＣカードホルダ３６によって保持されたＩＣカード３７からＩＣ番号を読み取るプログラムが記憶部４８，５８に記憶される。
このような改造によって、既存の機械式駐車装置でも、本実施形態に係る継続認証を用いた入庫処理及び出庫処理が可能となる。
【０１１３】
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。
【０１１４】
例えば、上記実施形態では、ＩＣカードホルダ６０を図４Ａ，図４Ｂ，図５Ａ及び図５Ｂに示す形態について説明したが、本考案は、これに限定されるものではない。図１４Ａ，図１４Ｂ，図１５Ａ及び図１５Ｂは、他の形態に係るＩＣカードホルダ６０の一例を示す。
図１４Ａ，図１４ＢはＩＣカードホルダ６０の概略外観図であり、図１４Ａ、図１４Ｂは、それぞれＩＣカードホルダ６０を示す斜視図、側面図である。図１５Ａ，図１５Ｂは、ＩＣカードホルダ６０にＩＣカード３７を挿入した場合の概略外観図であり、図１５Ａは、ＩＣカードリーダ３２にＩＤ番号を読み取らせるため、ＩＣカード３７が横向きに接触されている場合、図１５Ｂは、ＩＣカード３７が縦置きに載置されている場合を示している。
【０１１５】
ＩＣカードホルダ６０は、台座部６０Ａと、保持部６０Ｂを備える。ＩＣカードホルダ６０において、ＩＣカード３７は、図１５Ｂに示すように、板面が水平面に対して略垂直方向となるように保持される。ＩＣカードホルダ６０は、図１４Ｂに示すように、ＩＣカードリーダ３２が設置された位置に対応して設けられる。
【０１１６】
台座部６０Ａは、図１４Ａ，図１４Ｂに示すように、例えば一方向に長い断面Ｌ字形状を有する部材であり、長手方向が水平方向となるように操作盤２２に設置される。台座部６０Ａの上面には、縦向きにされたＩＣカード３７が載置可能である。なお、台座部６０Ａは、その前部が突部６０Ａ１とされ、載置されたＩＣカード３７が前方へ滑り落ちることを防止する。台座部６０Ａは、操作盤２２に対して、例えばネジ又は接着剤等によって接合される。
【０１１７】
保持部６０Ｂは、図１４Ａに示すように、基部６０Ｂ１と、一方向に長い直方体形状である水平部６０Ｂ２とを有する。基部６０Ｂ１は、操作盤２２から垂直方向に設置され、水平部６０Ｂ２を操作盤２２に支持させる。水平部６０Ｂ２は、例えば一方向に長い直方体形状であり、長手方向が水平方向となるように基部６０Ｂ１と接続される。水平部６０Ｂ２の長手方向の長さは、例えば、ＩＣカード３７の短辺Ａの長さの２／３程度である。保持部６０Ｂは、台座部６０Ａの上方に設けられる。
【０１１８】
保持部６０Ｂと突部６０Ａ１は、図１４Ｂに示すように、いずれもＩＣカードリーダ３２との間に間隙ｘを有して設けられる。間隙ｘは、ＩＣカード３７を挿入できる幅であり、例えばＩＣカード３７の厚さよりも２ｍｍ〜３ｍｍ程度長い長さである。これより、ＩＣカードホルダ６０の上方又は側方から、間隙ｘにＩＣカード３７を挿入できる。また、間隙ｘが設けられていることから、台座部６０Ａの上面に載置されたＩＣカード３７を側方にスライドすることで、簡単にＩＣカードホルダ６０からＩＣカード３７を外すことができる。
【０１１９】
台座部６０Ａと保持部６０Ｂとの間隔ｙは、ＩＣカード３７の短辺Ａより長い。間隔ｙは、例えばＩＣカード３７の短辺Ａよりも１０ｍｍ程度長い長さである。台座部６０Ａと保持部６０Ｂの間に、横向きにされたＩＣカード３７を挿入でき、ＩＣカード３７を横向きにした状態でＩＣカードリーダ３２に接触できる。したがって、利用者が後述するワンタッチ認証を行うとき、台座部６０Ａ上にＩＣカード３７をわざわざ載置することなく、ＩＣカード３７を持ったままＩＣカードリーダ３２に接触させることができる。
【０１２０】
また、台座部６０Ａと保持部６０Ｂとの間隔ｙは、ＩＣカード３７の長辺Ｂよりも短い。これにより、台座部６０Ａの上面に、縦向きにされたＩＣカード３７を載置したとき、ＩＣカード３７が保持部６０Ｂ側に倒れたとしても、台座部６０Ａ上に保持された状態を維持できる。したがって、利用者が後述する継続認証を行うとき、台座部６０Ａ上にＩＣカード３７を縦置きにすることで、ＩＣカードリーダ３２によるユーザ認証を確実に継続させることができる。
【０１２１】
台座部６０Ａと保持部６０Ｂの正面側の面は、図１４Ｂに示すように、ＩＣカードリーダ３２の読み取り面から距離ｄだけ離れた位置にある。距離ｄは、ＩＣカードリーダ３２がＩＣカード３７からデータを読み取れない距離である。これにより、例えば図１４Ｂに示すｚの位置にあるＩＣカード３７のように、ＩＣカード３７をＩＣカードホルダ６０より手前でかざしたり、ＩＣカードホルダ６０の正面側の面に接触させただけでは、ＩＣカードリーダ３２がＩＣカード３７のデータを読み取れない。すなわち、ＩＣカード３７は、ＩＣカードホルダ６０の正面側の面よりもＩＣカードリーダ３２側にあるとき、データの読み取りが行われる。
【０１２２】
したがって、台座部６０Ａと保持部６０Ｂの正面側の面、すなわち、ＩＣカードリーダ３２側とは反対側の面が、ＩＣカードリーダ３２の読み取り面から距離ｄだけ離れた位置にあることで、図１５Ａに示すように、台座部６０Ａと保持部６０Ｂが、ＩＣカード３７を台座部６０Ａと保持部６０Ｂの間でＩＣカードリーダ３２へ確実に接近させるように利用者を促すことができる。また、ＩＣカード３７を横向きにした状態でＩＣカードリーダ３２に接触させる場合、台座部６０Ａと保持部６０Ｂは、ＩＣカード３７の挿入をガイドする役割を果たす。
【０１２３】
ＩＣカードホルダ６０でＩＣカード３７が縦置きにされた状態では、図１５Ｂに示されるように、ＩＣカード３７が保持部６０Ｂによって保持されていることから、ＩＣカード３７が落下しにくくなる。したがって、ＩＣカードホルダ６０に対して、利用者が、台座部６０Ａと保持部６０Ｂの間隙ｘの間にＩＣカード３７を縦置きにして挿入し、ＩＣカードホルダ６０にＩＣカード３７を保持させた状態とすることで、入出庫扉１５を閉じる間、ＩＣカード３７とＩＣカードリーダ３２との間の認証を確実に継続できる。
【０１２４】
一方、ワンタッチ認証は、入出庫扉１５を閉とする以外の機械動作が行われる場合のユーザ認証に適用される。図１５Ａに示されるように、ＩＣカードホルダ６０でＩＣカード３７を横向きに接触させる場合、利用者はＩＣカード３７を持ったままでよい。したがって、入出庫扉１５を閉とする以外の機械動作を行う場合は、わざわざＩＣカードホルダ６０にＩＣカード３７を載置することなく、認証処理を迅速に完了させることができる。
【０１２５】
以上、本実施形態の他の考案においても、利用者がＩＣカード３７を手に持ったままＩＣカードリーダ３２に短時間だけ接触又は近接させることを可能にしつつ、入出庫扉１５が完全に閉まるまでの期間のような、ある程度の長い時間、ＩＣカード３７をＩＣカードリーダ３２に確実に接触又は近接させておくことができる。
【０１２６】
上記実施形態では、入出庫扉１５を閉動作させる場合に、ＩＣカード３７をＩＣカードホルダ３６，６０に保持させる形態について説明したが、本考案は、これに限定されるものではなく、機械式駐車装置１０における他の機械動作を行っている場合に、ＩＣカード３７をＩＣカードホルダ３６，６０に保持させてもよい。
【０１２７】
また、上記実施形態では、乗入室２０と格納庫１８の間でリフト１４によってパレット１７が搬送されるエレベータ式の機械式駐車装置１０を用いて説明したが、本考案はエレベータ式に限定されるものでなく、パレットを用いる垂直循環式、多層循環式、平面往復式、及び水平循環式等、他の方式に適用してもよい。また、本考案は、パレット１７を用いずに、乗入室２０と格納庫１８の間で車両１２を搬送するフォーク式やコンベヤ式の機械式駐車装置１０に適用されてもよい。
【０１２８】
また、図１６は、バース式である他の形態に係る乗入室２０の概略外観図である。
図１６に示される乗入室２０でもあるバース７０はリフト昇降室７４と併設されている。バース７０とリフト昇降室７４との間には、入出庫扉１５が設けられている。
【０１２９】
リフト昇降室７４は、リフト１４によって格納庫１８との間で車両１２が搬送（昇降）される。バース７０にはコンベア７２が設けられ、コンベア７２によってバース７０とリフト昇降室７４との間で車両１２が移動（横送り）する。なお、車両１２の運転者は、バース７０において車両１２に乗降する。すなわち、図１６に示す形態では、運転者は、乗入室２０において車両１２に乗降しない。
【０１３０】
次に、図１６に示す乗入室２０を用いた車両１２の入出庫について説明する。
車両１２が入庫する場合、運転者はバース７０まで車両１２を移動させてコンベア７２に車両１２を載置した後、車両１２から降りてバース７０から退出する。その後、入出庫扉１５が開かれ、コンベア７２によって車両１２がリフト昇降室７４へ移動され、入出庫扉１５が閉じられる。入出庫扉１５が閉じられた後、車両１２は、リフト１４によって乗入室２０のレベルから格納庫１８へ搬送される。
【０１３１】
車両１２が出庫する場合、車両１２がリフト１４によって格納庫１８から乗入室２０のレベルへ搬送され、入出庫扉１５が開かれる。入出庫扉１５が開かれると、車両１２はコンベア７２によってリフト昇降室７４からバース７０へ移動され、入出庫扉１５が閉じられる。入出庫扉１５が閉じられると、運転者はバース７０で車両１２に搭乗し、車両１２をバース７０から退室させる。
【０１３２】
本実施形態では、機械式駐車装置１０の操作員がＩＣカード３７を所有し、ＩＣカード３７をＩＣカードホルダ３６に保持させ、継続認証を実行させる。そして、入庫の場合、継続認証が実行されている間に、入出庫扉１５が開かれ、車両１２がバース７０からリフト昇降室７４に横送りされ、その後、入出庫扉１５が閉じられる。入出庫扉１５が閉じられた後に、操作員は、ＩＣカードホルダ３６からＩＣカード３７を外すことができる。
【０１３３】
一方、出庫の場合、継続認証が実行されている間に、入出庫扉１５が開かれ、車両１２がリフト昇降室７４からバース７０に横送りされ、その後、入出庫扉１５が閉じられる。入出庫扉１５が閉じられた後に、操作員は、ＩＣカードホルダ３６からＩＣカード３７を外すことができる。
【０１３４】
また、上記実施形態で説明した入庫処理又は出庫処理の流れも一例であり、本考案の主旨を逸脱しない範囲内において不要なステップを削除したり、新たなステップを追加したり、処理順序を入れ替えたりしてもよい。
【０１３５】
例えば、入庫処理及び出庫処理において、入庫又は出庫のために入出庫扉１５を開く前にも、ユーザ認証を行ってもよい。
【符号の説明】
【０１３６】
１０        ：機械式駐車装置
１２        ：車両
１４        ：リフト
１５        ：入出庫扉
１６        ：昇降路
１７        ：パレット
１８        ：格納庫
１８Ａ      ：格納棚
２０        ：乗入室
２２        ：操作盤
２２Ａ      ：筐体
３０        ：筐体
３１        ：蓋
３２        ：ＩＣカードリーダ
３３        ：操作画面
３３ａ      ：表示部
３３ｂ      ：入力部
３４        ：スピーカー
３５        ：非常停止ボタン
３６        ：ＩＣカードホルダ
３６Ａ      ：台座部
３６Ｂ      ：保持部
３７        ：ＩＣカード
４０        ：操作盤制御部
４２        ：読取制御部
４４        ：操作画面制御部
４６        ：信号送受信部
４８        ：記憶部
５０        ：主制御部
５２        ：信号送受信部
５４        ：ユーザ認証部
５６        ：機械制御部
５８        ：記憶部
６０        ：ＩＣカードホルダ
６０Ａ      ：台座部
６０Ａ１    ：突部
６０Ｂ      ：保持部
６０Ｂ１    ：基部
６０Ｂ２    ：水平部
７０        ：バース
７２        ：コンベア
７４        ：リフト昇降室
【図１】
0003209882.tif 000003
【図２】
0003209882.tif 000004
【図３】
0003209882.tif 000005
【図４Ａ】
0003209882.tif 000006
【図４Ｂ】
0003209882.tif 000007
【図５Ａ】
0003209882.tif 000008
【図５Ｂ】
0003209882.tif 000009
【図６】
0003209882.tif 000010
【図７】
0003209882.tif 000011
【図８】
0003209882.tif 000012
【図９】
0003209882.tif 000013
【図１０】
0003209882.tif 000014
【図１１】
0003209882.tif 000015
【図１２】
0003209882.tif 000016
【図１３】
0003209882.tif 000017
【図１４Ａ】
0003209882.tif 000018
【図１４Ｂ】
0003209882.tif 000019
【図１５Ａ】
0003209882.tif 000020
【図１５Ｂ】
0003209882.tif 000021
【図１６】
0003209882.tif 000022